(57)【特許請求の範囲】
【請求項１】
ＩＣチップと、
前記ＩＣチップが一方の面に取り付けられ、ループ状に曲げられたシートと、
前記シートの一方の面に形成された粘着層と、
前記粘着層の粘着面を覆うセパレータと、を備え、
前記粘着層の粘着面は、前記シートの一端に対応する領域において、少なくとも一部が露出しており、
前記シートの一端は、前記セパレータにおける前記シートの他端に対応する領域で前記粘着層を介して接着されると共に、前記シートの他端で折り返されて、前記シートの他方の面における前記ＩＣチップに対応する位置を覆うように、前記シートの他方の面と前記粘着層を介して接着されることを特徴とするＩＣタグ。
【請求項２】
前記シートの一端は、前記シートの他端で折り返されて、前記シートの他方の面における前記ＩＣチップに対応する位置と前記粘着層を介して接着され、
前記粘着層の粘着面は、前記セパレータによって、前記シートの他方の面における前記ＩＣチップに対応する位置を挟むように覆われていることを特徴とする請求項１に記載のＩＣタグ。
【発明の詳細な説明】
【技術分野】
【０００１】
本発明は、例えば航空機に積み込まれる荷物などに取り付けられるＩＣタグに関する。
【背景技術】
【０００２】
近年、航空機に積み込まれる荷物などに取り付けられる荷物用タグとして、荷物の搬送時におけるトレーサビリティ（追跡可能性）のため、ＩＣチップが取り付けられたＩＣタグが用いられることが多くなっている。一般的な荷物用タグとして用いられるＩＣタグは、感熱紙及びフィルムから構成されるシートの一方の面の一部の領域に、ＩＣチップとアンテナとベース基材とより構成されたＩＣチップ実装体を有している。例えば、以下の特許文献１には、このような荷物用のＩＣタグの一例が記載されている。この荷物用のＩＣタグでは、シートの一方の面の全面に粘着剤が塗布されることで粘着層が形成されており、当該粘着層はセパレータにより覆われている。ＩＣタグの実際の使用時には、ＩＣタグを、例えば荷物の手持ち部分に一回りさせた後、ＩＣタグの一端のセパレータの一部を剥がして、剥き出しになった粘着層の粘着面を、ＩＣタグの他端のセパレータに貼付ける。このようにすることで、ＩＣタグは、荷物の手持ち部分にループ状に取り付けられることとなる。
【０００３】
【特許文献１】特開２００４−３１７５４４号公報
【発明の開示】
【発明が解決しようとする課題】
【０００４】
しかしながら、荷物は、航空機に詰め込む際などには、乱暴に扱われることが多い。そのため、荷物に取り付けられたＩＣタグも外部からの衝撃を受け、ＩＣタグに取り付けられたＩＣチップが壊れてしまうことがある。
【０００５】
本発明は、上記の点に鑑みてなされたものであり、ＩＣチップの保護強化を図ることが可能なＩＣタグを提供することを課題とする。
【課題を解決するための手段】
【０００６】
本発明の一つの観点では、ＩＣタグは、ＩＣチップと、前記ＩＣチップが一方の面に取り付けられ、ループ状に曲げられたシートと、前記シートの一方の面に形成された粘着層と、前記粘着層の粘着面を覆うセパレータと、を備え、前記粘着層の粘着面は、前記シートの一端に対応する領域において、少なくとも一部が露出しており、前記シートの一端は、前記セパレータにおける前記シートの他端に対応する領域で前記粘着層を介して接着されると共に、前記シートの他端で折り返されて、前記シートの他方の面における前記ＩＣチップに対応する位置を覆うように、前記シートの他方の面と前記粘着層を介して接着される。
【０００７】
上記のＩＣタグは、例えば、航空機に積み込まれる荷物などに取り付けられる航空用タグであり、ＩＣチップと、シートと、粘着層と、セパレータと、を備えている。前記シートは、前記ＩＣチップが一方の面に取り付けられ、ループ状に曲げられている。前記粘着層は、前記シートの一方の面に形成されている。前記セパレータは、前記粘着層を覆っている。前記粘着層の粘着面は、前記シートの一端に対応する領域において、少なくとも一部が露出しており、前記シートの一端は、前記セパレータにおける前記シートの一端に対応する領域と前記粘着層を介して接着されると共に、前記シートの他端で折り返されて、前記シートの他方の面における前記ＩＣチップに対応する位置を覆うように、前記シートの他方の面と前記粘着層を介して接着される。このようにすることで、一般的なＩＣタグと比較して、前記ＩＣチップを二重にシートによって覆うことができ、前記ＩＣチップの保護強化を図ることができる。
【０００８】
上記のＩＣタグの他の一態様は、前記シートの一端は、前記シートの他端で折り返されて、前記シートの他方の面における前記ＩＣチップに対応する位置と前記粘着層を介して接着され、前記粘着層の粘着面は、前記セパレータによって、前記シートの他方の面における前記ＩＣチップに対応する位置を挟むように覆われている。これにより、前記シートにおける前記ＩＣチップに対応する位置に生じる段差を均すことができる。
【発明を実施するための最良の形態】
【０００９】
以下、図面を参照して本発明の好適な実施形態について説明する。
【００１０】
［ＩＣタグの構成］
まず、本発明の実施形態に係るＩＣタグの構成ついて、図１及び図２を用いて述べる。図１は、本実施形態に係るＩＣタグ１０を荷物に取り付けたときの模式図である。図１に示すように、ＩＣタグ１０は、荷物２０の手持ち部２０ａを囲んでループ状に取り付けられる。
【００１１】
図２（ａ）は、ＩＣタグ１０のシート１６側から見たときの平面図を示し、図２（ｂ）は、図２（ａ）の切断線Ａ−Ａ’に沿ったＩＣタグ１０の断面図を示している。
【００１２】
ＩＣタグ１０は、図２（ｂ）に示すように、主に、シート１６と、粘着層１５と、ＩＣチップ実装体１８と、より構成される。シート１６は、例えば、ポリエチレンテレフタレート（ＰＥＴ）又は二軸延伸ポリプロピレン（ＯＰＰ）などを材料とするフィルムと、当該フィルムの一方の面の全面に貼り付けられた紙基材と、より構成される。シート１６の一方の面（フィルム側の面）の全面には粘着剤が塗布されることにより粘着層１５が形成され、当該粘着層１５を介して、シート１６にＩＣチップ実装体１８が取り付けられている。粘着層１５及びＩＣチップ実装体１８は、セパレータ１７によって覆われている。なお、シート１６の他方の面（紙基材側の面）には、航空機の便名や客の識別情報等が印刷されている。
【００１３】
ＩＣチップ実装体１８は、ＩＣチップ１４と、アンテナ１３と、ベース基材１１と、より構成される。ベース基材１１は、例えばＰＥＴなどで作製されており、ＩＣチップ１４及びアンテナ１３は、ベース基材１１の一方の面に実装されている。シート１６は、ＩＣチップ１４及びアンテナ１３を覆うようにして、粘着層１５を介して、ベース基材１１と貼り合わされている。このようにして、シート１６の一方の面に、ＩＣチップ１４及びアンテナ１３が取り付けられている。
【００１４】
ＩＣチップ１４は、所要のデータを格納している。所要のデータとは、例えば、荷物２０の持ち主を示す識別番号等である。アンテナ１３は、ベース基材１１の面上に、導電性を有するアルミニウム（Ａｌ）や銅（Ｃｕ）などの金属で形成され、ＩＣチップ１４と電気的に接続されている。アンテナ１３は、ＩＣチップ１４に格納されたデータを、外部の装置、例えば、税関等に装備された読み取り書き取り装置（不図示）に対し送受信する。図２（ａ）では、アンテナ１３は、一例としてＨ字状のアンテナであるとしているが、アンテナ１３の形状としては、これに限られないのは言うまでもない。
【００１５】
ＩＣタグ１０は、切断予定線Ｃ１を境にして、ＩＣタグ本体部１０ａと小タグ１０ｂの各部分に切り離すことができるように構成されている。ＩＣタグ本体部１０ａは、ＩＣチップ実装体１８が取り付けられている部分であり、荷物２０の手持ち部２０ａをループ状に囲んで取り付けられる。小タグ１０ｂは、例えば、航空用タグの場合におけるお客様用の控えである。ＩＣタグ本体部１０ａと小タグ１０ｂとの夫々の位置に対応して、シート１６は、シート１６ａとシート１６ｂとより構成されている。シート１６ｂは、シート１６ａより切り離し可能に構成されている。粘着層１５、セパレータ１７の夫々も、ＩＣタグ本体部１０ａと小タグ１０ｂとの夫々の位置に対応して切り離し可能に構成されている。
【００１６】
ＩＣタグ本体部１０ａに対応するシート１６ａと、小タグ１０ｂに対応するシート１６ｂには夫々、例えば、客を識別するための識別番号が記載されている。税関などでは、ＩＣタグ本体部１０ａのシート１６ａに記載された識別番号と、小タグ１０ｂのシート１６ｂの部分に記載された識別番号とを照らし合わせることで、客の荷物かどうかを確認する。
【００１７】
［ＩＣタグの取付方法］
次に、本実施形態に係るＩＣタグの取付方法について、図３を用いて説明する。図３は、ＩＣタグの取付方法を示す模式図である。図３（ａ）は、ＩＣタグ１０の断面図を示し、図３（ｂ）及び図３（ｃ）は、ＩＣタグ１０及び荷物２０の手持ち部２０ａの断面図を示している。
【００１８】
まず、図３（ａ）に示すように、（１）小タグ１０ｂが、ＩＣタグ本体部１０ａより切り離され、お客様控えとして、客に渡される。（２）次に、ＩＣタグ本体部１０ａが、荷物２０の手持ち部分２０ａを囲んでループ状に一回りされ、ＩＣタグ本体部１０ａの一端のセパレータ１７が剥がされることにより、粘着層１５の粘着面は、シート１６ａの一端に対応する領域において、露出される。（３）そして、シート１６ａの一端が、セパレータ１７におけるシート１６ａの他端に対応する領域と粘着層１５を介して接着される。このとき、図３（ｂ）に示すように、シート１６ａの一端は、シート１６ａの他端に対し、張り出している。（４）さらに、張り出したシート１６ａの一端は、シート１６ａの他端で折り返されて、シート１６ａの他方の面におけるＩＣチップに対応する位置を覆うようにして、シート１６ａの他方の面と粘着層１５を介して接着される。これにより、ＩＣチップ１４は、図３（ｃ）に示すようにシート１６ａによって厚く保護されることとなる。
【００１９】
一般的なＩＣタグでは、シート１６ａの一端が、セパレータ１７におけるシート１６ａの他端に対応する領域と接着されるに過ぎなかったのに対し、本実施形態に係るＩＣタグ１０では、さらに、シート１６ａの一端が、シート１６ａの他端で折り返されて、シート１６ａの他方の面におけるＩＣチップ１４に対応する位置を覆うように、シート１６ａの他方の面と接着される。このようにすることで、本実施形態に係るＩＣタグ１０は、一般的なＩＣタグと比較して、ＩＣチップ１４を二重にシート１６ａによって覆うことができ、ＩＣチップ１４の保護強化を図ることができる。
【００２０】
また、小タグ１０ｂをＩＣタグ本体部１０ａより切り離す際に、ＩＣタグ本体部１０ａの小タグ１０ｂとの切断面が粗くなることがあるが、そのような場合であっても、シート１６ａの一端を、シート１６ａの他端で折り返すことにより、ＩＣタグ本体部１０ａの小タグ１０ｂとの粗くなった切断面を覆うことができる。
【００２１】
以上に述べたように、本実施形態に係るＩＣタグ１０では、粘着層１５の粘着面は、シート１６ａの一端に対応する領域において、露出しており、シート１６ａの一端は、セパレータ１７におけるシート１６ａの他端に対応する領域と粘着層１５を介して接着されると共に、シート１６ａの他端で折り返されて、シート１６ａの他方の面におけるＩＣチップ１４に対応する位置を覆うように、シート１６の他方の面と粘着層１５を介して接着される。このようにすることで、本実施形態に係るＩＣタグ１０では、一般的なＩＣタグと比較して、ＩＣチップ１４を二重にシート１６ａによって覆うことができ、ＩＣチップ１４の保護強化を図ることができる。
【００２２】
［変形例］
次に、本実施形態に係るＩＣタグ１０の変形例について述べる。上述の実施形態では、ＩＣタグ本体部１０ａの一端のセパレータ１７を剥がすことにより、シート１６ａの一端に対応する領域における粘着層１５の粘着面を露出させるとしていたが、シート１６ａの一端に対応する領域における粘着層１５の粘着面を全て露出させる必要はなく、少なくとも当該粘着面の一部が露出されていればよい。以下の変形例は、シート１６ａの一端に対応する領域における粘着層１５の粘着面の一部のみを露出させる場合の一例である。
【００２３】
図４及び図５は、変形例に係るＩＣタグ１０の取付方法を示す模式図である。
【００２４】
変形例に係るＩＣタグ１０の取付方法においても、本実施形態に係るＩＣタグ１０の取付方法と同様、まず、（１）小タグ１０ｂは、ＩＣタグ本体部１０ａより切り離され、お客様控えとして、客に渡される。（２）次に、ＩＣタグ本体部１０ａは、荷物２０の手持ち部分２０ａを囲んでループ状に一回りされる。そして、ＩＣタグ本体部１０ａの一端のセパレータ１７が剥がされることで、粘着層１５の粘着面は、シート１６ａの一端に対応する領域において、露出される。
【００２５】
図４（ａ）は、このときのＩＣタグ本体部１０ａのセパレータ１７側から見たときの平面図を示している。変形例では、上述の実施形態と異なり、ＩＣタグ本体部１０ａの一端のセパレータ１７を剥がす際において、シート１６ａの一端に対応する領域における粘着層１５の粘着面を全て露出させるのではなく、図４（ａ）に示すように、粘着層１５の粘着面におけるシート１６ａの一端に対応する領域において、一部のみを露出させて、それ以外の領域を、セパレータ１７の一部分たるセパレータ部分１７ａ、１７ｂで覆われたままとする。なお、このとき、図４（ａ）に示すように、シート１６ａの一端に対応する領域における粘着層１５の粘着面は、シート１６ａの辺縁領域１６ａｈ、１６ｂｈにおいて、露出させるものとする。なぜならば、シート１６ａの辺縁領域１６ａｈ、１６ｂｈがセパレータ１７で覆われたままとすると、シート１６ａの一端が、セパレータ１７におけるシート１６ａの他端に対応する領域と粘着層１５を介して接着される際に、シート１６ａの辺縁領域１６ａｈ、１６ｂｈにおいて、接着されずに捲れてしまうからである。
【００２６】
（３）次に、シート１６ａの一端は、シート１６ａの一方の面を覆っているセパレータ１７と粘着層１５を介して接着される。図４（ｂ）は、このときのＩＣタグ本体部１０ａのシート１６側から見たときの平面図を示している。図４（ｂ）に示すように、シート１６ａの一端は、シート１６ａの他端に対し、張り出している。（４）さらに、張り出したシート１６ａの一端は、シート１６ａの他端で折り返され、シート１６ａの他方の面におけるＩＣチップ１４に対応する領域を覆うようにして、シート１６ａの他方の面と粘着層１５を介して接着される。
【００２７】
図５（ａ）は、このときのＩＣタグ本体部１０ａの平面図を示し、図５（ｂ）は、図５（ａ）の切断線Ｂ−Ｂ´に沿ったＩＣタグ１０の断面図を示している。図５（ｃ）は、図５（ａ）の切断線Ｃ−Ｃ´に沿ったＩＣタグ１０の断面図を示している。
【００２８】
図５（ａ）及び図５（ｂ）より分かるように、シート１６ａの一端は、シート１６ａの他端で折り返されて、シート１６ａの他方の面におけるＩＣチップ１４に対応する位置と粘着層１５を介して接着されている。また、このとき、図５（ｃ）に示すように、粘着層１５の粘着面は、セパレータ部分１７ａ、１７ｂによって、シート１６ａの他方の面におけるＩＣチップ１４に対応する位置を挟むように覆われている。つまり、粘着層１５の粘着面の露出される領域は、シート１６ａの一端をシート１６ａの他方の面と接着する際に、シート１６ａの他方の面におけるＩＣチップ１４に対応する位置に来るように、予め設定される。また、セパレータ部分１７ａ、１７ｂの領域は、シート１６ａの一端をシート１６ａの他方の面と接着する際に、シート１６ａの他方の面におけるＩＣチップ１４に対応する位置を挟むように、予め設定される。
【００２９】
先に述べた実施形態では、セパレータ部分１７ａ、１７ｂも剥がして、粘着層１５の粘着面におけるシート１６ａの一端に対応する領域を露出させ、シート１６ａの一端を、シート１６ａの他端で折り返して、シート１６ａの他方の面におけるＩＣチップ１４に対応する領域を覆うようにして、シート１６ａの他方の面と接着することとしていた。しかし、この場合だと、ＩＣチップ１４の厚さ分だけ、シート１６ａの表面には段差が発生することとなる。一方、変形例に係るＩＣタグ１０では、セパレータ部分１７ａ、１７ｂが、シート１６ａの他方の面におけるＩＣチップ１４に対応する位置を挟むように、粘着層１５の粘着面を覆うとすることで、図５（ｃ）に示すように、ＩＣチップ１４の厚さの分だけシート１６ａに生じる段差ＤＤを均すことができる。
【００３０】
以上に述べたように、変形例に係るＩＣタグ１０では、シート１６ａの一端は、シート１６ａの他端で折り返されて、シート１６ａの他方の面におけるＩＣチップ１４に対応する位置と粘着層１５を介して接着され、粘着層１５の粘着面は、セパレータ１７によって、シート１６ａの他方の面におけるＩＣチップ１４に対応する位置を挟むように覆われている。このようにすることで、シート１６ａにおけるＩＣチップ１４に対応する位置に生じる段差を均すことができる。
【図面の簡単な説明】
【００３１】
【図１】ＩＣタグを荷物に貼り付けるときの様子を示す模式図である。
【図２】本実施形態に係るＩＣタグの構造を示す模式図である。
【図３】本実施形態に係るＩＣタグの取付方法を示す模式図である。
【図４】変形例に係るＩＣタグの取付方法を示す模式図である。
【図５】変形例に係るＩＣタグの取付方法を示す模式図である。
【符号の説明】
【００３２】
１０  ＩＣタグ、  １１  ベース基材、  １３  アンテナ、  １４  ＩＣチップ、  １５  粘着層、  １６  シート、  １７  セパレータ、  １８  ＩＣチップ実装体
【図１】
0005018309.tif 000002
【図２】
0005018309.tif 000003
【図３】
0005018309.tif 000004
【図４】
0005018309.tif 000005
【図５】
0005018309.tif 000006